(57)【要約】【課題】音楽をよりダイナミックに楽しみたいユーザーには携帯電話機のイヤホン出力では満足できず、特に、自動車の車内のように周囲への音漏れをそれほど気にする必要がない場合にはなお更であるが、一方で、音楽再生中に着信・発信ができなくなるのでは、これまた電話機としての利便性が悪い。【解決手段】電源は自動車のバッテリーを利用し、音楽再生は自動車のＦＭ受信部を利用した制御装置１であって、携帯電話機に記憶されたアナログ音楽信号を受け取るアナログ音信号受信部とＦＭ送信部との間の伝送経路１１，１３を接続又は遮断するスイッチ１５と、ハンズフリー通話手段１９，２１等と、音楽再生中に着信の連絡を受けるかまたは発信要求を受けるとスイッチ１５を動作させて上記経路を遮断し、通話が終了したと判断すると再び接続するＣＰＵ３とを備える。【選択図】        図１
2007124629.tif 000002
【特許請求の範囲】
【請求項１】
携帯電話機に接続され、前記携帯電話機から送信されたアナログ音信号をＦＭ電波で送信する機能と、前記携帯電話機のハンズフリー通話を制御する機能とを併せ持つ携帯電話機用制御装置において、
前記携帯電話機に記憶されたアナログ音信号を受け取るアナログ音信号受信部と、
ＦＭ電波で送信するＦＭ送信部と、
前記アナログ音信号受信部とＦＭ送信部との間の伝送経路を接続又は遮断する切替えスイッチと、
受話部と送話部を有するハンズフリー通話手段と、
前記アナログ音信号受信部からのアナログ音信号の前記ＦＭ送信部を介したＦＭ送信中に、前記携帯電話機から着信の連絡を受けるかまたは発信要求を受けると前記切替えスイッチを動作させて前記アナログ音信号受信部とＦＭ送信部とを遮断し、通話が終了したと判断すると接続するスイッチ切替え制御手段と、
を備えることを特徴とする携帯電話機用制御装置。
【請求項２】
請求項１に記載した携帯電話機用制御装置において、ハンズフリー通話手段の受話部はイヤホンまたはＦＭ送信部であり、これらは択一的に選択できることを特徴とする携帯電話機用制御装置。
【請求項３】
請求項１または２に記載した携帯電話機用制御装置において、ハンズフリー通話手段は、ユーザーにより操作される応答スイッチと音声アナウンス手段を有し、携帯電話機から着信の連絡を受けると、さらに発信者の電話番号を受け取り、前記音声アナウンス手段がその電話番号に該当する発信者の名称を音声アナウンスし、前記応答スイッチの操作によるユーザーからの応答要求を検出すると、ハンズフリー通話モードを確立することを特徴とする携帯電話機用制御装置。
【請求項４】
請求項３に記載した携帯電話機用制御装置において、ハンズフリー通話モードでは、応答要求としてアンサリングモードが選択要求された場合には、受話部をミュート状態にした上で、音声アナウンス手段からの音声で発信者と代理会話されることを特徴とする携帯電話機用制御装置。
【請求項５】
請求項１から４に記載した携帯電話機用制御装置において、ＦＭ送信部で送信されたＦＭ電波は車載用のＦＭ受信機で受信し再生されるものであることを特徴とする携帯電話機用制御装置。
【請求項６】
請求項５に記載した携帯電話機用制御装置において、さらに、車用電源からの給電を利用して携帯電話機を充電する充電手段を備えることを特徴とする携帯電話機用制御装置。
【発明の詳細な説明】
【技術分野】
【０００１】
本発明は、携帯電話機に記憶された音楽を車載のＦＭ受信機により再生すると共に、ハンズフリー通話も可能とする携帯電話機用制御装置に関するものである。
【背景技術】
【０００２】
近年の携帯電話機は高性能化されており、単なる電話機としてだけでなく、音楽再生用プレーヤーとしての機能も備えている。
携帯電話機に備えられた通信機能を利用すれば所望の音楽を容易にダウンロードできることから、若者を中心にこの種の携帯電話機の利用が爆発的に普及しつつある。
【０００３】
【特許文献１】特開２００２−１８５５８０号公報
【発明の開示】
【発明が解決しようとする課題】
【０００４】
しかしながら、音楽をよりダイナミックに楽しみたいユーザーには携帯電話機のイヤホン出力では満足できない。特に、自動車の車内のように周囲への音漏れをそれほど気にする必要がない場合にはなお更である。
その一方で、携帯電話機を音楽再生プレーヤーとして使用しているときに、着信・発信ができなくなるのでは、これまた電話機としての利便性が悪い。
【０００５】
そこで、本発明は、上記課題を解決するために、市販の携帯電話機に接続するだけで、携帯電話機にダウンロードされた音楽を車載のＦＭ受信機により再生できると共に、音楽再生中にもハンズフリー通話も可能とするコンパクトな携帯電話機用制御装置を提供することを目的とする。
【課題を解決するための手段】
【０００６】
請求項１の発明は、携帯電話機に接続され、前記携帯電話機から送信されたアナログ音信号をＦＭ電波で送信する機能と、前記携帯電話機のハンズフリー通話を制御する機能とを併せ持つ携帯電話機用制御装置において、前記携帯電話機に記憶されたアナログ音信号を受け取るアナログ音信号受信部と、ＦＭ電波で送信するＦＭ送信部と、前記アナログ音信号受信部とＦＭ送信部との間の伝送経路を接続又は遮断する切替えスイッチと、受話部と送話部を有するハンズフリー通話手段と、前記アナログ音信号受信部からのアナログ音信号の前記ＦＭ送信部を介したＦＭ送信中に、前記携帯電話機から着信の連絡を受けるかまたは発信要求を受けると前記切替えスイッチを動作させて前記アナログ音信号受信部とＦＭ送信部とを遮断し、通話が終了したと判断すると接続するスイッチ切替え制御手段と、を備えることを特徴とする携帯電話機用制御装置である。
【０００７】
請求項２の発明は、請求項１に記載した携帯電話機用制御装置において、ハンズフリー通話手段の受話部はイヤホンまたはＦＭ送信部であり、これらは択一的に選択できることを特徴とする携帯電話機用制御装置である。
【０００８】
請求項３の発明は、請求項１または２に記載した携帯電話機用制御装置において、ハンズフリー通話手段は、ユーザーにより操作される応答スイッチと音声アナウンス手段を有し、携帯電話機から着信の連絡を受けると、さらに発信者の電話番号を受け取り、前記音声アナウンス手段がその電話番号に該当する発信者の名称を音声アナウンスし、前記応答スイッチの操作によるユーザーからの応答要求を検出すると、ハンズフリー通話モードを確立することを特徴とする携帯電話機用制御装置である。
【０００９】
請求項４の発明は、請求項３に記載した携帯電話機用制御装置において、ハンズフリー通話モードでは、応答要求としてアンサリングモードが選択要求された場合には、受話部をミュート状態にした上で、音声アナウンス手段からの音声で発信者と代理会話されることを特徴とする携帯電話機用制御装置である。
【００１０】
請求項５の発明は、請求項１から４に記載した携帯電話機用制御装置において、ＦＭ送信部で送信されたＦＭ電波は車載用のＦＭ受信機で受信し再生されるものであることを特徴とする携帯電話機用制御装置である。
【００１１】
請求項６の発明は、請求項５に記載した携帯電話機用制御装置において、さらに、車用電源からの給電を利用して携帯電話機を充電する充電手段を備えることを特徴とする携帯電話機用制御装置である。
【発明の効果】
【００１２】
本発明の制御装置を携帯電話機と自動車用電源に接続すれば、自動車に搭載されたＦＭ受信機・スピーカを利用して携帯電話機にダウンロードした音楽をＦＭ出力で再生でき、しかも、音楽再生中でもハンズフリー通話が可能である。
【発明を実施するための最良の形態】
【００１３】
以下、本発明の実施の形態を図面に従って説明する。
図１は、発明の実施の形態に係る携帯電話機用制御装置１のブロック図である。この制御装置１は自動車に予め搭載されているＦＭ受信機を利用して音楽や音声をＦＭで受信することが想定されている。
符号３はこの制御装置１の心臓部であるＣＰＵ（制御部）を示し、この制御装置１の全ての動作を制御している。
符号５、７は携帯電話機とのコネクタ（接続部）である携帯イヤホンジャックと、携帯制御コネクタをそれぞれ示す。これらのコネクタは市販の携帯電話機に適合するよう設定されている。
【００１４】
携帯イヤホンジャック５は、携帯電話機からのアナログ音信号（ステレオアナログ音信号および受話音声信号）を受信するアナログ音信号受信部としての機能と、アナログ音信号（送話音声信号）を送信するアナログ音信号送信部としての機能を担っている。
携帯制御コネクタ７は、携帯電話機を制御しているＣＰＵとの間を繋ぐシリアル送受信部としての機能を担っている。
【００１５】
符号９はＦＭ電波で送信するＦＭ送信部を示し、このＦＭ送信部９にはアンテナ１０が備えられている。
携帯イヤホンジャック５とＦＭ送信部９とはＦＭ送信用伝送経路１１，１３で接続されており、携帯電話機の記憶部にダウンロードされた音楽のステレオアナログ音楽信号は携帯イヤホンジャック５からそれらの伝送経路１１，１３を介してＦＭ送信部９に伝送され、そこでＦＭ電波に変換されてアンテナ１０からＦＭ送信される。
ＦＭ送信用伝送経路１１，１３はアナログの切替えスイッチ１５を介して接続されており、ＣＰＵ３の制御による切替えスイッチ１５の切替え動作によりＦＭ送信用伝送経路１１，１３が接続状態または遮断状態に設定される。なお、以下で、ＦＭ送信用伝送経路１１は、ＦＭ送信用伝送経路１３と区別したいときには、特に音楽再生用伝送経路と記載する。
【００１６】
音楽再生用伝送経路１１の途中には、オーディオエンハンス回路１７（エンハンスド効果調整ボリウム付き）が設けられており、携帯イヤホンジャック５から送信されたステレオアナログ音楽信号の音源が空間的に広げられ、臨場感あるサウンドに変換される。
ＦＭ送信部９からＦＭ送信された音楽信号は、自動車に搭載されたＦＭ受信機で受信され再生されて最終的には自動車用スピーカから出力される。
【００１７】
符号１９はハンズフリー通話手段の受話部としてのイヤホンを、符号２１は同手段の送話部としてのマイクを、それぞれ示す。
符号２３は受話用伝送経路を示す。携帯イヤホンジャック５と接続された一本の伝送経路が切替えスイッチ２４を介してこの受話用伝送経路２３と音楽再生用伝送経路１１とに分岐されている。切替えスイッチ２４はＣＰＵ３により制御されており、切替えスイッチ１５の動作と連動している。即ち、通常は携帯イヤホンジャック５側と音楽再生用伝送経路１１とを接続させている。
携帯イヤホンジャック５からのハンズフリー通話用の受話音声信号を伝送する受話用伝送経路２３は途中で２つに分岐されている。一つ目は切替えスイッチ１５を介してＦＭ送信用伝送経路１３と接続されており、スピーカ出力経路になっている。この場合には、ＦＭ送信部９が受話部としての機能を担っている。このスピーカ出力経路が利用された場合には、携帯イヤホンジャック５を介して送られてきた受話音声信号はＦＭ送信部９に伝送され、そこでＦＭ電波に変換されてアンテナ１０からＦＭ送信される。従って、携帯イヤホンジャック５からの受話音声信号は上記したステレオアナログ音楽信号と同様に再生されて自動車用スピーカから出力される。
【００１８】
２つ目はイヤホン１９と接続されており、イヤホン出力経路になっている。このイヤホン出力経路が利用された場合には携帯イヤホンジャック５を介して送られてきた受話音声信号は増幅器２０を経由してイヤホン１９から出力される。
符号２５は受話音声のアナログの切替えスイッチを示し、この切替えスイッチ２５の動作により、スピーカ出力経路とイヤホン出力経路とが切替えられる。
【００１９】
マイク２１から送られてきた送話音声信号は、送話用伝送経路２７により増幅器２２を経由して携帯イヤホンジャック５に伝送される。
上記した受話用伝送経路２３と送話用伝送経路２７の途中には、エコーキャンセリング回路２９が設けられており、自動車用スピーカからマイク２１に回り込むエコーがキャンセルされる。
この実施の形態では、上記内容により基本的なハンズフリー通話手段が構成されている。
また、マイク２１に接続される増幅器２２はＣＰＵ３からのミュート信号を受けとると、マイク２１への出力をミュートする。
【００２０】
符号３１は音声合成ＩＣを示し、この音声合成ＩＣ３１も上記した受話用伝送経路２３に接続されている。
音声合成ＩＣ３１の記憶部にはカタカナ−音変換ファイルや所定の音声メッセージデータ格納されており、カタカナテキスト信号等が送られてくると、所定の音声合成プログラムに従って発声者やユーザーへの音声アナウンス用の音声信号を作成する。音声合成ＩＣ３１で合成された音声は自動車のスピーカやイヤホン１９を介して出力される。
なお、この制御装置１の記憶部（図示省略）には、予め携帯電話機に登録されているデータ中の発着信先の音声インデックスデータ（カタカナテキストデータ）とメモダイヤルと電話番号のデータが転送されて登録されており、携帯電話機から発信者の電話番号のデータを受け取ると、電話番号に該当する発信者の名称（カタカナテキストデータ）を音声合成ＩＣ３１に与えて発信者の名称の音声信号を作成させることができる。
この実施の形態では、上記した内容により音声アナウンス手段が構成されている。
【００２１】
符号３３は応答スイッチ用受信部を示し、この応答スイッチ用受信部３３は別体の赤外線を利用した応答スイッチ４１（図２）からの応答信号（赤外線）を受信する機能を担っている。
応答スイッチ用受信部３３が受け取った応答内容はＣＰＵ３に報告される。
【００２２】
符号３５は自動車バッテリーの接続端子を示し、この接続端子３５が自動車のバッテリーに接続されると内部の電源回路３７に給電される。
電源回路３７は携帯電話機の充電回路としての機能も担っており、ＣＰＵ３によるリレースイッチ３９の制御下のもとで携帯制御コネクタ７にも接続されている。
この実施の形態では、上記内容により携帯電話機の充電手段が構成されている。
【００２３】
以下に、制御装置１の動作シーケンスを説明する。
先ず、制御装置１を自動車のバッテリーに接続すると共に、携帯電話機（電源ＯＮ）に接続して使用可能な状態に設置しておく。
<音楽再生>（図３）
制御装置１の電源をＯＮにし（ステップＳ１）、携帯電話機の音楽再生スイッチをＯＮにすれば（ステップＳ２）、携帯電話機からのアナログ音楽信号が携帯イヤホンジャック５、音楽再生用伝送経路１１とＦＭ送信用伝送経路１３を経てＦＭ送信部９からＦＭ電波として送信され、車載のＦＭ受信部で受信され、自動車のスピーカから出力される。
従って、自動車のＦＭラジオの周波数を調整することで携帯電話機にダウンロードされた音楽を再生して自動車のスピーカから聴くことができる（ステップＳ３）。
【００２４】
<音楽再生中の携帯着信>（図４、図５、図６、図７）
音楽再生中に携帯電話機から着信の連絡を受けると（ステップＳ１）、ＣＰＵ３は切替えスイッチ１５、２４を動作させて、音楽再生用伝送経路１１を遮断すると共に、受話用伝送経路２３を携帯イヤホンジャック５及びＦＭ送信用伝送経路１３に接続する、即ち音楽再生モードから通話モードに切替える（ステップＳ２）。
そして、ＣＰＵ３は、携帯電話機から電話番号のデータを受け取ると、その電話番号に該当する発信者のカタカナテキストデータを音声合成ＩＣ３１に送り、そこで発信者の名称の音声信号を合成し、受話用伝送経路２３を利用してＦＭ送信部９に送る。従って、自動車のスピーカから発信者の名称が音声アナウンスされる（ステップＳ３）。
【００２５】
着信に対する応答処理は、上記音声アナウンスに対するユーザーの応答スイッチ４１の押下操作により、以下のように振りけられる。
（着信拒否の場合）（図５）
応答スイッチ４１が長押し（２秒程度）されると（ステップＳ１）、ＣＰＵ３は「着信拒否」と判断して、携帯制御コネクタ７を介して携帯電話機に「着信拒否コマンド」を送る（ステップＳ２）。携帯電話機はこのコマンドを受け取ると、網から発信先へ着信拒否用音声メッセージを送る。
そして、切替えスイッチ１５、２４を動作させて、受話用伝送回路２３を遮断すると共に、音楽再生用伝送経路１１を携帯イヤホンジャック５とＦＭ送信部９と再び接続する、即ち通話モードから音楽再生モードに切替えて（ステップＳ３）、音声再生中に戻る。
なお、音楽停止中も、音楽は再生されないが上記と同様に動作する。
【００２６】
（通常モード応答の場合）（図６）
応答スイッチ４１がシングルクリックされると（ステップＳ１）、ＣＰＵ３は「通常モード応答」と判断して、携帯制御コネクタ７を介して携帯電話機に「ＯＦＦＨＯＯＫコマンド」を送る（ステップＳ２）。携帯電話機はこのコマンドを受け取ると、通話回線を確立すると共にハンズフリー通話をＯＮにして（ステップＳ３）、通話中になる。ユーザーは自動車のスピーカから発信者の音声を聞き、マイク２１に向かって発声することで発信者とハンズフリー通話する。
ＣＰＵ３は通話の終了を監視しており、携帯電話機から終話信号を受け取ったときには、ＣＰＵ３は通話が終了したと判断して（ステップＳ４）、携帯電話機へ「ＯＮＨＯＯＫコマンド」を送る（ステップＳ５）。携帯電話機はこのコマンドを受け取ると、通話回線を遮断すると共にハンズフリー通話をＯＦＦにする。
さらに、切替えスイッチ１５、２４を動作させて、受話用伝送回路２３を遮断すると共に、音楽再生用伝送経路１１を携帯イヤホンジャック５及びＦＭ送信部９と再び接続する、即ち通話モードから音楽再生モードに切替える（ステップＳ６）。
【００２７】
通話中に、応答スイッチ４１がシングルクリックされると（ステップＳ７）、ＣＰＵ３は切替えスイッチ２５を動作させて受話音声用伝送経路２３をイヤホン１９に接続させる（ステップＳ８）。従って、発信者の音声はイヤホン出力される。車内に同乗者がいるような場合には、イヤホン１９から発信者の音声を聞くことで同乗者に聞かれずに済む。
通話中に、再度応答スイッチ４１がシングルクリックされると、受話音声の伝送経路が再び切替えられ、今度はＦＭ送信部９に接続されるのでスピーカ出力に戻る。
【００２８】
（アンサリングモード応答の場合）（図７）
応答スイッチ４１がダブルクリックされると（ステップＳ１）、ＣＰＵ３は「アンサリングモード応答」と判断して、先ずマイク２１のミュートをＯＮにし（ステップＳ２）、さらに携帯制御コネクタ７を介して携帯電話機に「ＯＦＦＨＯＯＫコマンド」を送る（ステップＳ３）。携帯電話機はこのコマンドを受け取ると、通話回線を確立すると共にハンズフリー通話をＯＮにする。
【００２９】
このモードでは、応答スイッチ４１の押下操作により音声合成ＩＣ３１で音声合成されて音声メッセージが作成され、この音声メッセージが送話用伝送回路２７から携帯イヤホンジャック５を介して携帯電話機に伝送される。即ち、合成音声が発信者と代理会話する（ステップＳ４）。
先ず、発信者に予め登録されたアンサリング開始用の音声メッセージ（例：「はいＸＸです。ただいまお話できません。聞いておりますのでそのままお話ください。」）が発信者に伝えられる。なお、この音声メッセージは受話音声用伝送経路２３からＦＭ送信用伝送経路１３を経てＦＭ送信部９にも伝送され、スピーカ出力されるのでユーザーにもこのメッセージが伝えられる。
【００３０】
通話を許可した後は、ＣＰＵ３は通話が終了したか否かを監視しており、このアンサリングモード応答の場合には、携帯電話機から終話信号を受け取るかユーザーの応答スイッチ３３の長押しを検出したときには、通話が終了したと判断して（ステップＳ５）、携帯電話機へ「ＯＮＨＯＯＫコマンド」を送る（ステップＳ６）。携帯電話機はこのコマンドを受け取ると、通話回線を遮断すると共にハンズフリー通話をＯＦＦにする。また、マイク２１のミュートを解除すると共に（ステップＳ７）、切替えスイッチ１５、２４を動作させて、受話用伝送回路２３を遮断すると共に、音楽再生用伝送経路１１を携帯イヤホンジャック５及びＦＭ送信部９と再び接続する、即ち通話モードから音楽再生モードに切替えて（ステップＳ８）、音楽再生中に戻る。
【００３１】
通話中の代理会話は以下のように行われる。
即ち、応答スイッチ４１がクリックされると（ステップＳ９）、ＣＰＵ３はクリック回数に応じて所定の音声メッセージを音声合成ＩＣ３１により音声合成する。この音声メッセージは上記したアンサリング開始用の音声メッセージと同様にして発信者とユーザーに伝えられる。
この実施の形態では、音声メッセージは、１回（シングル）クリックの場合には「はい」、２回（ダブル）クリックの場合には「いいえ」、３回クリックの場合には「もういちど」である。
発信者が「はい」または「いいえ」の回答を求めているような場合にはそのような音声メッセージを発信者に伝えることで、ユーザーが発声しなくともリアルタイム応答でき、後から電話を掛け直したりする手間がない。
このように応答スイッチ４１の押下操作により周囲の人に気づかれずに会話をすることができる。即ち秘話を可能とする。
【００３２】
なお、応答スイッチ４１が４回クリックされると、ＣＰＵ３はマイク２１のミュートを解除すると共にその旨の音声メッセージ（例：「通話に切替えます。」）を発信者とユーザーの両方に伝えて、図６の通常モード応答に移行する。
【００３３】
<音楽再生中の携帯発信>（図８）
ユーザーは携帯電話機を発信したい場合には、先ず応答スイッチ４１をクリックする。応答スイッチ４１がクリックされると（ステップＳ１）、ＣＰＵ３は「携帯発信」と判断し、切替えスイッチ１５を動作させて音楽再生用伝送経路１１とＦＭ送信部９とを遮断すると共に、受話用伝送回路２３とＦＭ送信部９とを接続する、即ち音楽再生モードから通話モードに切替える（ステップＳ２）。
そして、音声合成ＩＣ３１からの音声アナウンス（例：「インデックス選択」）をスピーカ出力して、ユーザーにインデックスダイヤルモードかダイヤルモードの選択を要求して（ステップＳ３）、発信先特定処理に入る。
【００３４】
発信先特定処理は、インデックスダイヤルモード（図９）と、メモダイヤルモード（図１０）に分けて説明する。
ＣＰＵ３は、応答スイッチ４１がダブルクリックされるとインデックスダイヤルモードと判断し、長押しされるとメモダイヤルモードと判断する（ステップＳ１，Ｓ２）。
インデックスダイヤルモードの場合には、図９に従って処理する。
即ち、「インデックス」と音声アナウンスしてインデックスダイヤルモードに入り（ステップＳ３）、音声合成ＩＣ３１に備えられた音付きカタカナテキストテーブルに従ってカタカナを１音ずつ順じ発声させていき、ユーザーによる応答スイッチ４１の押下を検出すると発信先を特定していく。
具体的には、ユーザーは「ア行」、「カ行」、「サ行」、‥‥「ヤ行」、「ワ行」の各行の先頭音「ア」、「カ」、「サ」、‥‥「ヤ」、「ワ」を順じ発声させていく。ユーザーが「山本明子（ヤマモトアキコ）さん」に発信する場合には、「ヤ」が聞こえた時点で応答スイッチ４１を押して「ヤ行」を選択する。選択されない場合には、何回も発声が繰り返される。なお、「行」のカタカナを間違えて選択した場合には、ユーザーが２回応答スイッチ４１を押せば、行の発声ステップ（ステップＳ４）まで戻る（ステップＳ６）。
【００３５】
行が選択されると、今度は選択された行の段の音、この場合には「ヤ」行が選択されたので、「ヤ」、「ユ」、「ヨ」を順じ発声させていく（ステップＳ７）。ユーザーは「ヤ」が聞こえた時点で応答スイッチ４１を押して「ヤ」を選択する（ステップＳ８）。選択されない場合には、何回も発声が繰り返される。なお、「段」のカタカナを間違えて選択した場合には、ユーザーが２回応答スイッチ４１を押せば、行の発声ステップ（ステップＳ４）まで戻る（ステップＳ９）。
ユーザーが「ヤ」を選択すると、この「ヤ」を発信先を特定するインデックスの最初のカタカナとして特定する。
【００３６】
次に、音声インデックスデータから、今度は「ヤ」の頭文字を有するインデックスを読み出し、順に「ヤマダレイコ」、「ヤマモトアキコ」‥‥と発声させていく（ステップＳ１０）。ユーザーは「ヤマモトアキコ」が聞こえた時点で応答スイッチ４１を押して「ヤマモトアキコ」を選択する（ステップ１１）。選択されない場合には、何回も発声が繰り返される。なお、違う音声インデックスの発声中に間違えて選択した場合には、ユーザーが２回応答スイッチ４１を押せば、音声インデックスの発声ステップ（ステップＳ１０）まで戻る（ステップＳ１２）。
上記タイミングの押下を検出すると、「ヤマモトアキコ」を発信先のインデックスとして特定する（ステップＳ１３）。
【００３７】
メモダイヤルモードの場合には、図１０に従って処理する。
即ち、「メモダイヤル」と音声アナウンスしてメモダイヤルモードに入り（ステップＳ３）、「ツー」という連続音を２回出力させる（ステップＳ４）。その連続音が聞こえている間（２秒間）に、ユーザーは応答スイッチ４１をメモ番号の発声に合わせて軽く押してメモ番号を選択する（ステップＳ５）。例えば、ユーザーが「山本明子（ヤマモトアキコ）」に発信する場合に、「山本明子」の登録されたメモ番号が「２」だとすると、応答スイッチ４１を２回押す。連続音出力中に、応答スイッチ４１が押されなかった場合には、「ＯＫ」と音声アナウンスさせた後にこのメモダイヤルモードを解除して、インデックスダイヤルモードかメモダイヤルモードかの選択を待つ。
一方、応答スイッチ４１の押下を検出すると、この押下数の回数（この場合には２回）に対応したメモ番号２を発信先のメモ番号として特定する（ステップＳ６）。
なお、押下数を間違えた場合には、ユーザーが応答スイッチ４１を押せば、ＣＰＵ３は「ＯＫ」と音声アナウンスさせた後にこのダイヤルモードを解除して、インデックスダイヤルモードかメモダイヤルモードかの選択を待つ。
【００３８】
インデックスダイヤルモードでもメモダイヤルモードでも、特定後は、図８に示すように、「ヤマモトアキコ  へデンワ」と音声アナウンスすると共に、自動ダイヤル処理を開始する。具体的には、メモダイヤルデータから「ヤマモトアキコ」の電話番号を読み出し、携帯電話機に「ＯＦＦＨＯＯＫコマンド」を送ると共に（ステップＳ４）、選択信号（電話番号信号）を送出する（ステップＳ５）。
【００３９】
携帯電話機はそれらの受信により「山本明子さん」の電話番号を着信先として発信する。呼び出し中は、ユーザーはスピーカからその呼び出し音が聞こえる。
上記ダイヤル処理を途中で中止する場合には、ユーザーが応答スイッチ４１を軽く押すかまたは長押し（２秒間）する。
「山本明子さん」が着信に応答すると、携帯電話機が通話回線を確立すると共にハンズフリー通話をＯＮにして通話中になる（ステップＳ６）。ユーザーは自動車のスピーカから着信者の音声を聞き、マイク２１に向かって発声することで着信者とハンズフリー通話できる。
【００４０】
通話を許可した後は、ＣＰＵ３は通話の終了を監視しており、携帯電話機から終話信号を受け取ったときには、ＣＰＵ３は通話が終了したと判断して（ステップＳ７）、携帯電話機へ「ＯＮＨＯＯＫコマンド」を送る（ステップＳ８）。携帯電話機はこのコマンドを受け取ると、通話回線を遮断すると共にハンズフリー通話をＯＦＦにする。
さらに、切替えスイッチ１５を動作させて、受話用伝送回路２３とＦＭ送信部９とを遮断すると共に、音楽再生用伝送経路１１とＦＭ送信部９と再び接続する、即ち通話モードから音楽再生モードに切替えて（ステップＳ９）、音声再生中に戻す。
【００４１】
通話中に、応答スイッチ４１がシングルクリックされると（ステップＳ１０）、ＣＰＵは切替えスイッチ２５を動作させて受話音声用伝送経路２３をイヤホン１９に接続させる（ステップＳ１１）。従って、発信者の音声はイヤホン１９から出力される。車内に同乗者がいるような場合には、イヤホン１９から発信者の音声を聞くことで同乗者に聞かれずに済む。
通話中に、再度応答スイッチ４１がシングルクリックされると、受話音声の伝送経路が再び切替えられ、今度はＦＭ送信部９に接続されるので、自動車のスピーカからの出力に戻る。
【００４２】
以上、本発明の実施の形態を説明したが、本発明の具体的構成が上記の実施の形態に限定されるものではなく、本発明の要旨から外れない範囲での設計変更があっても本発明に含まれる。
【産業上の利用可能性】
【００４３】
本発明の制御装置を使用すれば、既存の携帯電話機を音楽再生プレーヤーとして積極的に活用することができる。
【図面の簡単な説明】
【００４４】
【図１】本発明の実施の形態に係る制御装置の本体のブロック図である。
【図２】図１の応答スイッチのブロック図である。
【図３】音楽再生の動作シーケンスである。
【図４】音楽再生中の携帯着信時の動作シーケンスである。
【図５】着信拒否する場合の動作シーケンスである。
【図６】通常に応答する場合の動作シーケンスである。
【図７】代理会話させる場合の動作シーケンスである。
【図８】音楽再生中の携帯発信時の動作シーケンスである。
【図９】インデックスダイヤルモードのフローチャートである。
【図１０】メモダイヤルモードのフローチャートである。
【符号の説明】
【００４５】
１‥‥携帯電話機用制御装置    
３‥‥ＣＰＵ                            ５‥‥携帯イヤホンジャック
７‥‥携帯制御コネクタ                  ９‥‥ＦＭ送信部
１１，１３‥‥ＦＭ送信用伝送経路        １５‥‥切替えスイッチ
１７‥‥オーディオエンハンス回路        １９‥‥イヤホン
２１‥‥マイク                          ２３‥‥受話用伝送経路
２４，２５‥‥切替えスイッチ            ２７‥‥送話用伝送経路
２９‥‥エコーキャンセリング回路        ３１‥‥音声合成ＩＣ
３３‥‥応答スイッチ用受信部            ３５‥‥接続端子（バッテリー）
３７‥‥電源回路                        ３９‥‥リレースイッチ
４１‥‥応答スイッチ
【図１】
2007124629.tif 000003
【図２】
2007124629.tif 000004
【図３】
2007124629.tif 000005
【図４】
2007124629.tif 000006
【図５】
2007124629.tif 000007
【図６】
2007124629.tif 000008
【図７】
2007124629.tif 000009
【図８】
2007124629.tif 000010
【図９】
2007124629.tif 000011
【図１０】
2007124629.tif 000012